(57)【要約】【課題】液晶モニタ用の遮光フードとレンズ用の遮光フードとを一体化するとともに、カメラへの着脱が容易であり、かつ携行に便利なように折り畳み自在に構成された遮光フードを提供する。【解決手段】被写体を撮影するカメラの上面に載置され、該カメラの正面に配置されたレンズ６および該カメラの背面に配置された表示画面７を遮光する遮光フード１０であって、表示画面７周囲に当接し表示画面７への入射光を遮る表示画面遮光部材１１と、レンズへの被写体の撮影に寄与しない入射光を遮るレンズ遮光部材１２と、レンズ遮光部材１２を表示画面遮光部材１１に軸支する回動部材１５とを備え、レンズ遮光部材１２は、表示画面遮光部材１１に重なる携行位置および表示画面遮光部材１１に対向する使用位置の間を自在に回動する。【選択図】  図１
2004294903.tif 000002
【特許請求の範囲】
【請求項１】
被写体を撮影するカメラの上面に載置され、該カメラの正面に配置された撮影レンズおよび該カメラの背面に配置された表示画面を遮光する遮光フードであって、
前記表示画面周囲に当接し前記表示画面への入射光を遮る表示画面遮光部材と、
前記表示画面遮光部材に軸支された、前記撮影レンズへの被写体の撮影に寄与しない入射光を遮るレンズ遮光部材とを備え、
前記レンズ遮光部材は、前記表示画面遮光部材に重なるように閉じられた携行位置および該表示画面遮光部材にから開かれた使用位置の間を自在に回動するものであることを特徴とする遮光フード。
【請求項２】
前記レンズ遮光部材は、前記表示画面遮光部材に一端を軸支され前記撮影レンズへの上方からの入射光を遮る上部遮光部材と、該上部遮光部材の両側端の、前記一端とは反対側の他端寄りにそれぞれ折り畳み自在に支持され、該撮影レンズへの左右方向からの入射光を遮る一対の側部遮光部材とを有するものであることを特徴とする請求項１記載の遮光フード。
【請求項３】
前記表示画面遮光部材は、前記表示画面への上方向からの入射光を遮る上部壁面部材と、該上部壁面部材の両側端それぞれに折り畳み自在に支持され、該表示画面への左右方向からの入射光を遮る一対の側部壁面部材とを有するものであることを特徴とする請求項１又は２記載の遮光フード。
【請求項４】
前記一対の側部壁面部材は、前記表示画面遮光部材との間にカメラボディを挟む位置に配備されていることを特徴とする請求項２記載の遮光フード。
【発明の詳細な説明】
【０００１】
【発明の属する技術分野】
本発明は、カメラの表示画面および撮影レンズの双方を遮光する遮光フードに関する。
【０００２】
【従来の技術】
従来、被写体を逆光下で撮影する場合には、逆光となる太陽光など、被写体の撮影に邪魔になる光を遮光するため、レンズに遮光フードをつけることなどが行なわれている。また近年盛んに使用されるようになったビデオカメラやデジタルスチルカメラなどのモニター用液晶画面についても、太陽光などにより液晶画面が見にくくなるのを防止するため液晶画面用の遮光フードが用いられている。
【０００３】
液晶画面用の遮光フードとして従来様々な提案がある。
【０００４】
例えば、液晶画面に遮光フードを装着する必要がないときには、遮光フードを裏返し、突き出し部分が本体側に嵌め込まれるようにして、装着された遮光フードが液晶表示画面から突き出さないようにしたものがある（特許文献１参照）。
【０００５】
また、テレビ、ビデオカメラ、カーナビゲーション装置用表示装置などの表示画面に取り付ける遮光フードであって、未使用のときは折り畳み可能にしておき、使用するときは、片手で簡単にセットすることができるように構成するとともに、使用状態において、ある程度の外力が作用しても破損する恐れがないように耐衝撃性の樹脂で射出成形したものがある（特許文献２）。
【０００６】
さらに、遮光フード部材を折り畳んだ平坦状態から、液晶モニタ画面に合致した筒状態に起立開放可能となるように形成し、開口接眼側にレンズ枠を折りたて配置させ、開口接眼側に顔面を押し当てることによって遮光フードを液晶モニタに保持させたものもある（特許文献３参照）。
【０００７】
【特許文献１】
特開平６−１８９２２８号広報（段落番号０００７〜段落番号００１１、図７〜図９）
【特許文献２】
特開平８−４４３０１号公報（段落番号０００７、段落番号００１５〜段落番号００２７、図１、２、４）
【特許文献３】
実用新案登録第３０８１６７８号公報（段落番号０００３、段落番号０００７〜段落番号００１１、図１〜図３）
【０００８】
【発明が解決しようとする課題】
しかしながら、液晶モニターを遮光する必要がある場合には、レンズの遮光も必要となる場合が多い。この場合に、液晶モニタ用遮光フードと撮影レンズ用の遮光フードとの双方を持ち歩くのは非常に煩らわしく、またいずれか一方を紛失する恐れも高まる。
【０００９】
本発明は、上記事情に鑑み、液晶モニタ用の遮光フードとレンズ用の遮光フードとを一体化するとともに、カメラへの着脱が容易であり、かつ携行に便利な遮光フードを提供することを目的とする。
【００１０】
【課題を解決するための手段】
上記目的を達成する本発明の遮光フードは、被写体を撮影するカメラの上面に載置され、該カメラの正面に配置された撮影レンズおよび該カメラの背面に配置された表示画面を遮光する遮光フードであって、
上記表示画面周囲に当接し上記表示画面への入射光を遮る表示画面遮光部材と、上記表示画面遮光部材に軸支された、上記撮影レンズへの被写体の撮影に寄与しない入射光を遮るレンズ遮光部材とを備え、
上記レンズ遮光部材は、上記表示画面遮光部材に重なるように閉じられた携行位置および該表示画面遮光部材から開かれた使用位置の間を自在に回動するものであることを特徴とする。
【００１１】
このように、表示画面への入射光を遮る表示画面遮光部材およびレンズへの被写体の撮影に寄与しない入射光を遮るレンズ遮光部材が回動自在に一体化され、レンズ遮光部材の一部をカメラの上面に載置することによりカメラへの装着が完了する上、レンズ遮光部材を表示画面遮光部材に重ねることもできるので、携行にも便利である。
【００１２】
ここで、上記レンズ遮光部材は、表示画面遮光部材に一端を軸支され上記撮影レンズへの上方からの入射光を遮る上部遮光部材と、該上部遮光部材の両側端の、上記一端とは反対側の他端寄りにそれぞれ折り畳み自在に支持され、該撮影レンズへの左右方向からの入射光を遮る一対の側部遮光部材とを有するものであることが好ましい。
【００１３】
このように、側部遮光部材を折り畳めるように構成し、レンズ遮光部材を携行位置に回動したときに、側部遮光部材を折り畳めば、コンパクトになるので携行に便利である。
【００１４】
さらに、上記表示画面遮光部材は、上記表示画面への上方向からの入射光を遮る上部壁面部材と、該上部壁面部材の両側端それぞれに折り畳み自在に支持され、該表示画面への左右方向からの入射光を遮る一対の側部壁面部材とを有するものであることも好ましい態様である。
【００１５】
このように、側部壁面部材を折り畳むように構成し、レンズ遮光部材が携行位置に回動するときに、側部壁面部材を折り畳めば、さらにコンパクトになるので携行にさらに便利になる。
【００１６】
さらに、上記一対の側部壁面部材は、前記表示画面遮光部材との間にカメラボディを挟む位置に配備されていることが好ましい。
【００１７】
こうすることにより、使用時にこの遮光フードがカメラにきちんと装着され、カメラに対し容易には位置がずれたり落下することが防止され、使い勝手がよい。
【００１８】
【発明の実施の形態】
以下、本発明の遮光フードの実施形態について説明する。
【００１９】
図１は、本実施形態の遮光フードをカメラに装着した状態を示す概略斜視図である。
【００２０】
図１に示すカメラは、正面１、底面２、側面３、背面４、上面５からなり、正面１には、撮影レンズを内蔵する鏡胴６が配設され、背面４には、液晶表示画面７およびモード選択ダイヤル８が配設され、上面５には、シャッタ釦９が配設されている。
【００２１】
図示していないが、カメラの内部には、撮影レンズにより結像された被写体光の光量分布に基づく電荷量を蓄積するＣＣＤ撮像素子と、その電荷量を読み出し、デジタル信号に変換した後、ＪＰＥＧ圧縮処理を施した画像データを記録する記録メディアと、電荷量を読み出し、変換したデジタル信号を処理し、液晶モニタ画面７に被写体を表示するＬＣＤ表示部とを備えている。
【００２２】
このカメラに、未だ記録メディアが挿入されていない状態の場合は、先ず、記録メディアを挿入口から挿入する。その後、このカメラで被写体を撮影するにあたっては、電源を投入し、被写体に合わせてモード選択ダイヤル８をセットする。レンズを被写体に向けると共に、被写体を液晶モニタ画面７で確認し、シャッタ釦９を押す。そのとき、ＣＣＤ撮像素子から読み出され、デジタル変換、ＪＰＥＧ圧縮処理を施した画像データが記録メディアに記録される。
【００２３】
カメラの上面５には、レンズの鏡胴６と液晶表示画面７とを覆うように、本実施形態の遮光フード１０が載置されている。
【００２４】
本実施形態の遮光フード１０は、カメラの背面４の液晶表示画面７の上部および側部に当接し、液晶表示画面７を覆うことにより液晶表示画面７への入射光を遮る表示画面遮光部材１１と、カメラの上面５に載置され、鏡胴６の上部を覆うことによりレンズへの被写体以外からの入射光を遮るレンズ遮光部材１２とを備えている。
【００２５】
表示画面遮光部材１１は、液晶表示画面７への上方向からの入射光を遮る上部壁面部材１１ａと、液晶表示画面７の左右方向からの入射光を遮る一対の側部壁面部材１１ｂとを有し、側部壁面部材１１ｂそれぞれは、上部壁面部材１１ａの左右の側端に折り畳み自在に支持されている。
【００２６】
ここで、表示画面遮光部材１１の上部壁面部材１１ａと左右の側部壁面部材１１ｂとによって形成された開口１３は、液晶表示画面７よりも大きく、カメラの背面４よりも小さければよいが、背面４に備えるモード選択ダイヤル８等が覆われない程度の大きさであることが好ましい。また、側部壁面部材１１ｂの幅は、上部壁面部材１１ａと顔面との位置関係などによって異なるが、液晶表示画面７の上部側と下部側とは必ずしも同じにする必要はなく、下部側の幅を狭くするか、あるいは下部側の角をカットしてもよい。
【００２７】
レンズ遮光部材１２は、一端１２ｃが上部壁面部材１１ａに軸支され、鏡胴６への上方からの入射光を遮る上部遮光部材１２ａと、鏡胴６への左右方向からの入射光を遮る一対の側部遮光部材１２ｂとを有し、側部遮光部材１２ｂそれぞれは、上部遮光部材１２ａの各側端の、回動部材１５により上部壁面部材１２ａに軸支された一端とは反対側にあたる、他端１２ｄ寄りの、カメラの上面５を避けた位置に、折り畳み自在に支持されている。
【００２８】
ここで、レンズ遮光部材１２の上部遮光部材１２ａの、上部壁面部材１１ａに軸支された一端１２ｃから反対側にあたる、他端１２ｄまでの長さは、鏡胴６に内蔵された撮影レンズの視野角の範囲内にかからない程度であればよい。ただし、表示画面遮光部材１１の上部壁面部材１１ａに重なるように回動させたときに上部壁面部材１１ａからはみ出さないようにすることが好ましいので、鏡胴６の径、上部遮光部材１２ａの幅に応じて設定する。また、側部遮光部材１２ｂの幅は、上部遮光部材１２ａをカメラの上面５に載せたときに、側部遮光部材１２ｂが邪魔にならない程度であればよく、さらに、上部壁面部材１２ａに支持された上部側と、上部側とは反対側の下部側とは必ずしも同じ幅にする必要はなく、下部側の幅を狭くするか、あるいは下部側の角をカットしてもよい。
【００２９】
また、この一対の側部遮光部材１２は、その一対の側部遮光部材１２ｂと表示画面遮光部材１１との間でカメラ１にしっかりと装着できる位置に配備されている。これにより、この遮光フードがカメラ１の上で移動したりカメラ１から落下することが防がれている。
【００３０】
本実施形態の遮光フード１０をカメラの上面に装着し、屋外の、太陽光の下で被写体を撮影するときは、被写体に合わせてモード選択ダイヤル８をセットし、鏡胴６を被写体に向けると、液晶モニタ画面７に被写体の映像が表示されるので、液晶モニタ画面７で被写体を確認しながら、構図を決めて、シャッタ釦９を押す。それにより、記録メディアに被写体の画像データが記録される。
【００３１】
図２および図３は、本実施形態の遮光フードを折り畳んだ状態と、表示画面遮光部材およびレンズ遮光部材を起立させて、カメラの上面に載置できる状態を示す図である。
【００３２】
図２に示すように、本実施形態の遮光フード１０は、表示画面遮光部材１１と、レンズ遮光部材１２とを有し、レンズ遮光部材１２の上部遮光部材１２ａが表示画面遮光部材１１の上部壁面部材１１ａに、回動部材１５により回動自在に軸支されている。また、レンズ遮光部材１２の側部遮光部材１２ｂは、上部遮光部材１２ａの両側端それぞれに、例えば蝶番１６で回動自在に支持されている。さらに、表示画面遮光部材１１の図にあらわれない側部壁面部材１１ｂは、上部壁面部材１１ａの両側端それぞれに、例えば蝶番１６で回動自在に支持されている。
【００３３】
したがって、レンズ遮光部材１２の上部遮光部材１２ａを表示画面遮光部材１１の上部壁面部材１１ａに重なるように閉じられた携行位置に回動させた状態で、レンズ遮光部材１２の側部遮光部材１２ｂを、上部遮光部材１２ａに重なるように折り畳み、表示画面遮光部材１１の側部壁面部材１１ｂを、上部壁面部材１１ａに重なるように折り畳むことができる。
【００３４】
このように、遮光フード１０の表示画面遮光部材１１とレンズ遮光部材１２とをそれぞれ折り畳むと、平らな、コンパクトな状態になり、携行したり保管するのに便利である。
【００３５】
図３に示すように、本実施形態の遮光フード１０は、表示画面遮光部材１１とレンズ遮光部材１２とをそれぞれ折り畳んだ状態から、表示画面遮光部材１１のそれぞれの側部壁面部材１１ｂを上部壁面部材１１ａから離間するように矢印Ａ方向に起立させ、またレンズ遮光部材１２のそれぞれの側部遮光部材１２ｂを上部遮光部材１２ａから離間するように起立させ、さらにレンズ遮光部材１２の上部遮光部材１２ａを表示画面遮光部材１１の上部壁面部材１１ａから離間するように矢印Ｂ方向に開いて、レンズ遮光部材１２を、表示画面遮光部材１１に対向する使用位置に配置することができる。
【００３６】
このように、表示画面遮光部材１１とレンズ遮光部材１２とを開いた使用位置に回動させ、カメラの上面に載置すると、カメラの液晶表示画面と鏡胴とを遮光する、本実施形態の遮光フード１０として機能させることができる。
【００３７】
図４は、本実施形態の遮光フードの他の例を示す概略側面図である。
【００３８】
図４に示すように、本例の遮光フードは、図１に斜視図を示したものと較べて、表示画面遮光部材１１の側部壁面部材１１ｂと、レンズ遮光部材１２の側部遮光部材１２ｂとが、それぞれ下部側の角をカットされた形状をなす点が相違するが、それ以外は同じであり、同一構成要素には同一の符号を付し、説明は省略する。
【００３９】
遮光フードは、上方向あるいは斜め上方向からの入射光を遮光するのが目的であり、下部側はカットしても遮光には支障がない。このように、下部側をカットすることにより、遮光フードを相対的に軽量にすることができる。
【００４０】
【発明の効果】
以上、説明したように、本発明の遮光フードによれば、液晶モニタ用の遮光フードとレンズ用の遮光フードとが一体化され、カメラ上面に載置することにより装着できる上、２つ折りすることができるので、携行に便利である。
【図面の簡単な説明】
【図１】本実施形態の遮光フードをカメラに装着した状態を示す概略斜視図である。
【図２】本実施形態の遮光フードを折り畳んだ状態と、表示画面遮光部材およびレンズ遮光部材を起立させて、カメラの上面に載置できる状態を示す図である。
【図３】本実施形態の遮光フードを折り畳んだ状態と、表示画面遮光部材およびレンズ遮光部材を起立させて、カメラの上面に載置できる状態を示す図である。
【図４】本実施形態の遮光フードの他の例を示す概略側面図である。
【符号の説明】
１  正面
２  底面
３  側面
４  背面
５  上面
６  鏡胴
７  液晶表示画面
８  モード選択ダイヤル
９  シャッタ釦
１０  遮光フード
１１  表示画面遮光部材
１１ａ  上部壁面部材
１１ｂ  側部壁面部材
１２  レンズ遮光部材
１２ａ  上部遮光部材
１２ｂ  側部遮光部材
１２ｃ  一端
１２ｄ  他端
１３  開口
１５  回動部材
１６  蝶番
【図１】
2004294903.tif 000003
【図２】
2004294903.tif 000004
【図３】
2004294903.tif 000005
【図４】
2004294903.tif 000006